(57)【要約】【課題】プレート２の一面に所定の平面配置をもってパッキン３を固着してなる構造のガスケット１について、パッキン３がこれを固着したプレート２から剥がれにくい構造のガスケット１を提供する。【解決手段】プレート２の一面に所定の平面配置をもってパッキン３を固着してなり、プレート２は組立時にネジ固定部５において相手組立部材にネジ止めされ、パッキン３は組立時にリップ部が相手組立部材により圧縮されて幅方向一方へ屈曲し、パッキン３の平面形状におけるネジ固定部５の近傍部位または変曲部８，１０もしくはその近傍部位に、プレート２に対するパッキン３の接着面積を部分的に拡大するパッキン張出し部９を設けることにした。【選択図】　図１
2004076877.tif 000002
【特許請求の範囲】
【請求項１】
プレート（２）の一面に所定の平面配置をもってパッキン（３）を固着してなり、前記プレート（２）は組立時にネジ固定部（５）において相手組立部材（４）にネジ止めされ、前記パッキン（３）は組立時にリップ部（７）が前記相手組立部材（４）により圧縮されて幅方向一方へ屈曲し、前記パッキン（３）の平面形状における前記ネジ固定部（５）の近傍部位または変曲部（８）（１０）もしくはその近傍部位に、前記プレート（２）に対する前記パッキン（３）の接着面積を部分的に拡大するパッキン張出し部（９）を設けたことを特徴とするガスケット。
【請求項２】
プレート（２）の一面に所定の平面配置をもってパッキン（３）を固着してなり、前記パッキン（３）は組立時にリップ部（７）が前記相手組立部材（４）により圧縮されて幅方向一方へ屈曲し、前記パッキン（３）の平面形状における変曲部（８）（１０）またはその近傍部位に、前記プレート（２）に対する前記パッキン（３）の接着面積を部分的に拡大するパッキン張出し部（９）を設けたことを特徴とするガスケット。
【請求項３】
プレート（２）の一面に所定の平面配置をもってパッキン（３）を固着してなり、前記パッキン（３）の平面形状における変曲部（８）（１０）またはその近傍部位に、前記プレート（２）に対する前記パッキン（３）の接着面積を部分的に拡大するパッキン張出し部（９）を設けたことを特徴とするガスケット。
【請求項４】
請求項１ないし３の何れかに記載されたガスケットにおいて、当該ガスケット（１）がプレート（２）にパッキン（３）を一体成形した一体成形方式のガスケットであり、その一体成形時における金型（１１）のガスケット成形材料の注入孔（１２）をパッキン張出し部（９）上に配置したことを特徴とするガスケット。
【請求項５】
請求項１ないし４の何れかに記載されたガスケットにおいて、当該ガスケット（１）が電子機器用カバーガスケットとして用いられることを特徴とするガスケット。
【発明の詳細な説明】
【０００１】
【発明の属する技術分野】
本発明は、密封装置の一種であるガスケットに係り、更に詳しくは、プレートにパッキンを固着した構造のガスケットに関するものである。本発明のガスケットは例えば、ハードディスク装置等の電子機器用カバーガスケットとして用いられ、またはその他の工業用ガスケットとして用いられる。
【０００２】
【従来の技術】
ハードディスク装置（ＨＤＤ）用カバーガスケット５１は、図５に示すように金属製のカバープレート５２の一面に所定の平面配置をもってゴム状弾性材製のパッキン５３を接着または焼付け等の手段により固着したものであり、特にそのなかで小型ハードディスク装置用のカバーガスケット５１は、図６に示すようにパッキン５３の断面形状が幅方向（図上左右方向）に非対称形状とされ、図７に示すように製品組立時にリップ部５４が相手ベースプレート５５により圧縮されて内周側（図上左側）に屈曲せしめられることにより防塵性および気密性を確保するように構成されている。
【０００３】
しかしながら、この従来のカバーガスケット５１によると、カバープレート５２を相手ベースプレート５５に対してネジ止めするネジ固定部５６の近傍部位において他の部位よりもパッキン５３のアール形状・圧縮率が比較的大きく設定されているために、圧縮による曲げモーメント（矢印Ｍ）等の影響によりパッキン５３がカバープレート５２から剥がれ易いという不都合がある。
【０００４】
また、ネジ固定部５６に限らず、パッキン５３がその平面形状において屈曲したり湾曲したり交差したりしている変曲部においても同様に、パッキン５３がカバープレート５２から剥がれ易いという不都合がある。
【０００５】
【発明が解決しようとする課題】
本発明は以上の点に鑑みて、プレートの一面に所定の平面配置をもってパッキンを固着してなるガスケットにおいて、パッキンがこれを固着したプレートから剥がれにくい構造のガスケットを提供することを目的とする。
【０００６】
【課題を解決するための手段】
上記目的を達成するため、本発明の請求項１によるガスケットは、プレートの一面に所定の平面配置をもってパッキンを固着してなり、前記プレートは組立時にネジ固定部において相手組立部材にネジ止めされ、前記パッキンは組立時にリップ部が前記相手組立部材により圧縮されて幅方向一方へ屈曲し、前記パッキンの平面形状における前記ネジ固定部の近傍部位または変曲部もしくはその近傍部位に、前記プレートに対する前記パッキンの接着面積を部分的に拡大するパッキン張出し部を設けたことを特徴とするものである。
【０００７】
また、本発明の請求項２によるガスケットは、プレートの一面に所定の平面配置をもってパッキンを固着してなり、前記パッキンは組立時にリップ部が前記相手組立部材により圧縮されて幅方向一方へ屈曲し、前記パッキンの平面形状における変曲部またはその近傍部位に、前記プレートに対する前記パッキンの接着面積を部分的に拡大するパッキン張出し部を設けたことを特徴とするものである。
【０００８】
また、本発明の請求項３によるガスケットは、プレートの一面に所定の平面配置をもってパッキンを固着してなり、前記パッキンの平面形状における変曲部またはその近傍部位に、前記プレートに対する前記パッキンの接着面積を部分的に拡大するパッキン張出し部を設けたことを特徴とするものである。
【０００９】
また、本発明の請求項４によるガスケットは、上記した請求項１ないし３の何れかに記載されたガスケットにおいて、当該ガスケットがプレートにパッキンを一体成形した一体成形方式のガスケットであり、その一体成形時における金型のガスケット成形材料の注入孔をパッキン張出し部上に配置したことを特徴とするものである。
【００１０】
更にまた、本発明の請求項５によるガスケットは、上記した請求項１ないし４の何れかに記載されたガスケットにおいて、当該ガスケットが電子機器用カバーガスケットとして用いられることを特徴とするものである。
【００１１】
上記構成を備えた本発明の請求項１、２または３によるガスケットのように、パッキンの平面形状におけるネジ固定部の近傍部位またはパッキンの平面形状における変曲部もしくはその近傍部位に、プレートに対するパッキンの接着面積を部分的に拡大するパッキン張出し部を設けると、このパッキン張出し部を設けた部位においてプレートに対するパッキンの接着面積が拡大し、接着力が増大することになる。したがってパッキンにネジの締付け等による比較的大きな曲げモーメント等が作用しても、パッキンの接着力が大きいことから、パッキンがプレートから剥がれにくくなる。上記変曲部は、パッキンがその平面形状において屈曲したり湾曲したり交差したりしている部位であって、プレートのネジ固定部近傍部位に設けられる場合と、ネジ固定部近傍部位以外の比較的遠い箇所に設けられる場合とがある。
【００１２】
上記パッキン張出し部は、上記したようにプレートに対するパッキンの接着面積を拡大させ接着力を増大させるために設けられるものであって、パッキンのシール線上から外れた位置に設けられるために、これ自体はパッキンのシール性に何ら影響を及ぼすことがない。したがって本発明の請求項４によるガスケットのように、当該ガスケットがプレートにパッキンを一体成形する一体成形方式のガスケットである場合に、その一体成形時における金型のガスケット成形材料の注入孔をこの張出し部上に配置するようにすると、製品に注入孔痕が残っても、この注入孔痕がパッキンのシール線上から外れた位置に配置されるために、パッキンのシール性に影響を及ぼすことがない。
【００１３】
また、本発明のガスケットは、上記したようにハードディスク装置等の電子機器用カバーガスケットとして用いられ（請求項５）、またはその他の工業用ガスケットとして用いられるが、小型ハードディスク装置用カバーガスケットは、上記したようにパッキンの断面形状が幅方向に非対称形状とされ、製品組立時にリップ部が相手ベースプレートにより圧縮されて幅方向一方に屈曲せしめられ、このときモーメントが発生するため、本発明を特に有効に活用することができる。
【００１４】
尚、本件出願には、以下の技術的事項が含まれる。
【００１５】
すなわち、上記目的を達成するため、本件出願が提案する一のガスケットは以下の内容を備えている。
【００１６】
Ａ．従来のパッキンの断面形状に対し、ネジ部付近について、リブ（パッキン張出し部）を追加する構成とする。
【００１７】
Ｂ．従来のパッキンの断面形状に対し、変曲部付近について、リブ（パッキン張出し部）を追加する構成とする。
【００１８】
Ｃ．カバー面方向に突出し、ガスケット接着面と同一面の接着面を有し、ガスケット圧縮時のガスケット高さよりも小さい高さのリブ（パッキン張出し部）がネジ部付近に設けられている。
【００１９】
Ｄ．カバー面方向に突出し、ガスケット接着面と同一面の接着面を有し、ガスケット圧縮時のガスケット高さよりも小さい高さのリブ（パッキン張出し部）が変曲部付近に設けられている。
【００２０】
Ｅ．リブ（パッキン張出し部）は、その長手方向の寸法をガスケット接触面の幅寸法以上の寸法とし、そのガスケット幅方向の寸法をガスケット接触面の幅寸法の２０％以上の寸法とする。
【００２１】
Ｆ．従来のＴＰＥガスケットのパッキン断面は内周・外周非対称形状としていたが、ネジ止め部については、他の部位に比べるとアール形状が多く、圧縮率も比較的大きい部位である。また、ＴＰＥおよび接着剤については熱可塑性の樹脂であるため、ＨＤＤ作動に伴う温度上昇により、パッキンの拘束力が低くなり、曲げモーメントによる接着剥がれが発生している。このため、当該部位にリブ（パッキン張出し部）を設けることによって接着面積を増大させることにより、曲げモーメントによる剥がれを防止可能となる。
【００２２】
Ｇ．ＴＰＥガスケットについては、金具一体成形での製造手法をとっているが、リブ（パッキン張出し部）に注入孔を設置することにより、成形時に発生するバリ・ゲード残りを、製品機能に影響しないパッキン外周に配置することが可能となる。すなわち、注入孔をリブ（パッキン張出し部）上に設けることにする。
【００２３】
Ｈ．上記構成によりネジ部のパッキンにリブ（パッキン張出し部）を設けることにより、ネジ部付近に集中発生する接着剥がれを防止することができる。
【００２４】
Ｉ．上記構成により変曲部のパッキンにリブ（パッキン張出し部）を設けることにより、変曲部付近に集中発生する接着剥がれを防止することができる。
【００２５】
Ｊ．上記構成によりパッキンにリブ（パッキン張出し部）を設けることにより、一体成形方式での注入孔を当該部位（リブ）に設定可能であり、成形時のバリ残りを製品機能に影響のない配置とすることができる。
【００２６】
【発明の実施の形態】
つぎに本発明の実施例を図面にしたがって説明する。
【００２７】
図１は、本発明の実施例に係るガスケット１の平面図を示しており、そのＡ−Ａ線拡大断面が図２に示されている。また、図３は同ガスケット１の組立状態を示す要部断面図、図４は同ガスケット１の製造工程を示す要部断面図である。
【００２８】
当該実施例に係るガスケット１は、小型ハードディスク装置用のカバーガスケットとして用いられるものであって、以下のように構成されている。
【００２９】
すなわち先ず、図１に示すように、プレートとして平面略長方形状を呈するカバープレート２が設けられており、このカバープレート２の一面の周縁部にパッキン（狭義のガスケットとも称する）３が図示するような所定の平面配置をもって環状（エンドレス状）に固着されている。
【００３０】
カバープレート２は、ステンレス、アルミ合金もしくは積層材（厚さ約２０〜５０μｍの樹脂材等をステンレスもしくはアルミ合金等で挟んだもの）等よりなる素材または積層鋼板等よりなる素材をプレス成形すること等によって成形されており、その平面四隅および長手方向の側辺中央の都合六箇所にそれぞれ、このカバープレート２を相手組立部材としての相手ベースプレート（実機ベース）４に対してネジ止めするためのネジ固定部５が組立ネジ（図示せず）を差し込むネジ孔として設けられている。
【００３１】
パッキン３は、ＦＫＭ（フッ素ゴム）、ＥＰＤＭ（エチレン・プロピレン・ジエンゴム）、ＮＢＲ（アクリロニトリル・ブタジエンゴム）またはアクリルゴム等のゴム状弾性材によって成形されており、その硬度をＪＩＳ　Ｈｓ２０〜８０程度（一層好ましくはＪＩＳ　Ｈｓ４０〜６５）に設定されている。
【００３２】
また、このパッキン３は、図２に示すように、その基部６の上部にリップ部７が外周寄り（図上右寄り）に変位して設けられることによってその断面形状が幅方向（図上左右方向）に非対称形状とされており、図３に示すように、組立時にリップ部７が相手ベースプレート４により圧縮されて内周側（図上左側）へ屈曲せしめられるように構成されている。
【００３３】
このような幅方向非対称のパッキン３に圧縮による曲げモーメント（矢印Ｍ）等の影響による接着剥がれが生じ易いことは上記したとおりであるが、その対策として当該ガスケット１には以下のような構成が設けられている。
【００３４】
すなわち、上記図１に示したように、ネジ固定部５の近傍部位であってパッキン３の平面形状における変曲部８に、カバープレート２に対するパッキン３の接着面積を部分的に拡大するためのパッキン張出し部９が設けられており、また、ネジ固定部５の近傍部位以外の変曲部１０にも、同じくカバープレート２に対するパッキン３の接着面積を部分的に拡大するためのパッキン張出し部９が設けられている。変曲部８，１０は上記したとおり、パッキン３がその平面形状において屈曲したり湾曲したり、あるいは交差したりしている部分である。
【００３５】
上記パッキン張出し部９は、パッキン３の側面にリブ状のものとして一体成形されており、カバープレート２に対するパッキン３の接着面３ａと面一状の接着面９ａを有することにより、カバープレート２に対するパッキン３の接着面積を実質拡大させている。
【００３６】
また、この張出し部９は、その長手方向の寸法Ｌがパッキン３の接着面３ａの幅寸法ｗ１以上の寸法に形成されるとともに、その幅方向の寸法ｗ２がパッキン３の接着面３ａの幅寸法ｗ１の２０％以上の寸法に形成されており、これにより接着面積の拡大が十分になされている。
【００３７】
また、この張出し部９は、その高さ寸法ｈ２が組立状態におけるパッキン３の高さ寸法ｈ１よりも小さく形成されており、これにより組立状態において張出し部９は相手ベースプレート４に接触せず、よって当該ガスケット１のシール性に影響しないように構成されている。
【００３８】
更にまた、当該ガスケット１は、図４に示すように、その製造時にカバープレート２の一面にパッキン３を一体成形する一体成形方式のガスケットとして構成されており、その一体成形時における金型１１のガスケット成形材料の注入孔１２がパッキン張出し部９の平面上に配置されるように構成されている。したがって上記図２に示したように、パッキン張出し部９の平面上に注入孔痕１３が残されることになる。
【００３９】
上記構成のガスケット１は、上記したように小型ハードディスク装置におけるトップカバーガスケットとして用いられるものであって、上記構成により以下の作用効果を奏する点に特徴を有している。
【００４０】
すなわち先ず第一に、上記したようにネジ固定部５の近傍部位であってパッキン３の平面形状における変曲部８に、カバープレート２に対するパッキン３の接着面積を部分的に拡大するリブ状のパッキン張出し部９が設けられ、またネジ固定部５の近傍部位以外の変曲部１０にも、同じくカバープレート２に対するパッキン３の接着面積を部分的に拡大するリブ状のパッキン張出し部９が設けられているために、このパッキン張出し部９が設けられた部位においては、カバープレート２に対するパッキン３の接着面積が拡大され、接着力が増大されている。したがって、パッキン３にネジの締付け等による比較的大きな曲げモーメント（矢印Ｍ）等が作用しても、パッキン３の接着力が大きいことから、パッキン３がカバープレート２から剥がれるのを防止することができる。
【００４１】
また、当該ガスケット１がその製造時にカバープレート２の一面にパッキン３を一体成形する一体成形方式のガスケットとして構成され、その一体成形時における金型１１のガスケット成形材料の注入孔１２がパッキン張出し部９の平面上に配置されているために、一種のバリである注入孔痕１３がパッキン３のシール性に良くない影響を及ぼすのを防止することができる。その理由は、上記したように注入孔痕１３がパッキン張出し部９の平面上に配置されることにより、パッキン３のシール線から外れる位置に配置されるからである。
【００４２】
【発明の効果】
本発明は、以下の効果を奏する。
【００４３】
すなわち、上記構成を備えた本発明の請求項１、２または３によるガスケットにおいては、パッキンの平面形状におけるネジ固定部の近傍部位またはパッキンの平面形状における変曲部もしくはその近傍部位に、プレートに対するパッキンの接着面積を部分的に拡大するパッキン張出し部が設けられているために、このパッキン張出し部を設けた部位においては、プレートに対するパッキンの接着面積が拡大され、接着力が増大せしめられている。したがって、パッキンにネジの締付け等による比較的大きな曲げモーメント等が作用しても、パッキンの接着力が大きいことから、パッキンがプレートから剥がれるのを有効に防止することができ、よってパッキンによるシール性を維持向上させることができる。
【００４４】
またこれに加えて、上記構成を備えた本発明の請求項４によるガスケットにおいては、当該ガスケットがプレートにパッキンを一体成形した一体成形方式のガスケットであり、その一体成形時における金型のガスケット成形材料の注入孔がパッキン張出し部上に配置されているために、製品に残される注入孔痕がパッキンによるシール性に良くない影響を及ぼすのを防止することができ、よってやはりパッキンによるシール性を維持向上させることができる。
【００４５】
また、上記構成を備えた本発明の請求項５によるガスケットにおいては、ガスケットがハードディスク装置等の電子機器用カバーガスケットとして用いられるために、カバープレートからパッキンが剥がれにくく、よってシール性に優れた構造の電子機器用カバーガスケットを提供することができる。
【図面の簡単な説明】
【図１】本発明の実施例に係るガスケットの平面図
【図２】同ガスケットの要部断面図であって図１におけるＡ−Ａ線拡大断面図
【図３】同ガスケットの組立状態を示す要部断面図
【図４】同ガスケットの製造工程を示す要部断面図
【図５】従来例に係るガスケットの平面図
【図６】同ガスケットの要部断面図であって図５におけるＢ−Ｂ線拡大断面図
【図７】同ガスケットの組立状態を示す要部断面図
【符号の説明】
１　ガスケット
２　カバープレート（プレート）
３　パッキン
３ａ，９ａ　接着面
４　相手ベースプレート（相手組立部材）
５　ネジ固定部
６　基部
７　リップ部
８，１０　変曲部
９　パッキン張出し部
１１　金型
１２　注入孔
１３　注入孔痕
【図１】
2004076877.tif 000003
【図２】
2004076877.tif 000004
【図３】
2004076877.tif 000005
【図４】
2004076877.tif 000006
【図５】
2004076877.tif 000007
【図６】
2004076877.tif 000008
【図７】
2004076877.tif 000009
【手続補正書】
【提出日】平成14年9月17日(2002.9.17)
【手続補正１】
【補正対象書類名】図面
【補正対象項目名】全図
【補正方法】変更
【補正の内容】
【図１】
2004076877.tif 000010
【図２】
2004076877.tif 000011
【図３】
2004076877.tif 000012
【図４】
2004076877.tif 000013
【図５】
2004076877.tif 000014
【図６】
2004076877.tif 000015
【図７】
2004076877.tif 000016